(57)【要約】【課題】  ユーザーが当該ディスプレー装置の画面上の一部にメニュー画面を表示したときに、テレビ放送のコンテンツ、もしくはテレビ放送のコンテンツを記録した記録媒体のコンテンツの映像音声信号に含まれるＣＣＤ信号による映像出力を自動的に停止させることにより、主映像とＣＣＤ信号表示とが重畳しないようにしたＤＶＤ記録再生装置を提供する。【解決手段】  オンスクリーンディスプレー信号出力を検出しているとき、ＣＣＤ信号検出手段がＣＣＤ信号出力を検出することに応答して当該ＣＣＤ信号出力手段を不作動とさせることにより、ＣＣＤ信号表示出力の自動停止機能を具備するＡＶ機器を提供する。【選択図】  図１
2005269260.tif 000002
【特許請求の範囲】
【請求項１】
映像音声信号源と、
オンスクリーンディスプレー処理部と、
当該オンスクリーンディスプレー処理部からの表示処理部へのオンスクリーンディスプレー信号の出力を検出する手段と、
当該映像音声信号源から入力される映像音声信号中にＣＣＤ信号を検出する手段と、
当該表示処理部へＣＣＤ信号を出力する手段と、
当該オンスクリーンディスプレー信号出力検出手段が当該オンスクリーンディスプレー信号出力を検出しているとき、当該ＣＣＤ信号検出手段が当該ＣＣＤ信号出力を検出することに応答して当該ＣＣＤ信号出力手段を不作動とさせる手段と、
からなる、ＣＣＤ信号表示出力の自動停止装置を有するＡＶ機器。
【発明の詳細な説明】
【技術分野】
【０００１】
本発明は、デジタル画像記録再生装置において、ＤＶＤディスクに記録されたクローズドキャプションデコーダー（ＣＣＤ）入りのタイトルの再生中、もしくはＣＣＤ信号入りテレビ放送のスルー映像表示中に、ＣＣＤ信号を表示させ、ユーザーがディスプレー装置の画面上の一部にメニュー画面を表示させたときに、ＣＣＤ信号表示出力を一時的に停止させる自動停止装置に関する。
【背景技術】
【０００２】
ＤＶＤ記録再生装置を使用してテレビ番組を記録したり、ＤＶＤディスクに記録されたコンテンツを再生する場合に、ＣＣＤ信号表示が他の映像音声信号と重畳されて、主映像の視聴に邪魔になることがある。またＣＣＤ信号表示と副映像が同時に表示されることにより、記録媒体に記録された映画コンテンツを再生しているときに、同様の字幕が二種類重なって表示されるという不都合があった。
【０００３】
特許文献１には、その不都合を解消するために、ＤＶＤ記録再生装置に副映像をＯＮさせた場合、自動または任意でＣＣＤ出力をＯＦＦさせることを目的とした技術が開示されている。
【０００４】
【特許文献１】特開２００２−２４７４９８号公報
【発明の開示】
【発明が解決しようとする課題】
【０００５】
しかし、上記の従来技術は、ＤＶＤ記録再生装置による記録媒体の再生時に限り有効であり、テレビ放送のコンテンツをＤＶＤ記録再生装置によりディスプレー装置の画面にスルー表示している場合や、当該コンテンツをＤＶＤ記録再生装置により記録媒体に録画している場合などでは、ＣＣＤ信号表示と他の映像音声信号が重畳されてしまうという不都合を解消することができない。
【０００６】
本発明においては、ユーザーがＤＶＤ記録再生装置によりテレビ放送のコンテンツをディスプレー画面にスルー表示中の場合、ＤＶＤ記録再生装置によりテレビ放送のコンテンツを記録媒体に記録中の場合、さらにコンテンツが記録された記録媒体をＤＶＤ記録再生装置によりディスプレー装置の画面に再生中の場合において、各映像音声信号にＣＣＤ信号を表示中にユーザーが当該ディスプレー装置の画面上の一部にメニュー画面を表示したときに、テレビ放送のコンテンツ、もしくはテレビ放送のコンテンツを記録した記録媒体のコンテンツの映像音声信号に含まれるＣＣＤ信号による映像出力を自動的に停止させることにより、主映像とメニュー画面にＣＣＤ信号表示が重畳しないようにすることを課題とする。
【課題を解決するための手段】
【０００７】
この課題は、ＤＶＤ記録再生装置などのＡＶ機器であって、映像音声信号源、オンスクリーンディスプレー処理部、当該オンスクリーンディスプレー処理部からの表示処理部へのオンスクリーンディスプレー信号の出力を検出する手段、当該映像音声信号源から入力される映像音声信号中にＣＣＤ信号を検出する手段、当該表示処理部へＣＣＤ信号を出力する手段、当該オンスクリーンディスプレー信号出力検出手段が当該オンスクリーンディスプレー信号出力を検出しているとき、当該ＣＣＤ信号検出手段が当該ＣＣＤ信号出力を検出することに応答して当該ＣＣＤ信号出力手段を不作動とさせる手段からなる、ＣＣＤ信号表示出力の自動停止装置を有するＡＶ機器を提供することにより達成することができる。
【発明の効果】
【０００８】
本発明により、ユーザーがＤＶＤ記録再生装置によりテレビ放送のコンテンツをディスプレー装置の画面にスルー表示中の場合、ＤＶＤ記録再生装置によりテレビ放送のコンテンツを記録媒体に記録中の場合、さらにコンテンツが記録された記録媒体をＤＶＤ記録再生装置によりディスプレー装置の画面に再生中の場合において、ディスプレー装置の画面上にメニュー画面を表示するとき、ディスプレー装置側の設定をなんら変更することなく、ＤＶＤ記録再生装置などのＡＶ機器により視聴中もしくは記録中のコンテンツに含まれるＣＣＤ信号による出力を停止することができ、ユーザーに快適な視聴環境を提供することができる。
【発明を実施するための最良の形態】
【０００９】
図１に、本発明による具体的な実施例の全体的な構成を示すブロック図を示す。本実施例については、テレビ放送を受信するアンテナ１、チューナ２、リモコン送信機３、ＤＶＤ記録再生装置６、ディスプレー装置５のセットにより説明する。
【００１０】
ＤＶＤ記録再生装置６は、少なくとも、ＤＶＤディスク等の記録再生媒体７、チューナ２または記録再生媒体７からの映像音声信号を処理する映像音声信号処理部８、ＤＶＤ記録再生装置６の動作を制御する制御用マイコン９、ディスプレー装置５に対して映像音声信号を出力する表示処理部１５から構成される。
【００１１】
当該映像音声信号処理部８では、少なくとも、ＤＶＤディスク等の記録再生媒体７に記録された映像音声信号または受信したテレビ放送の映像音声信号の水平同期信号のなかにＣＣＤ信号が含まれているか否かを検出してその結果を制御用マイコン９に送信するＣＣＤ有無検出処理および、当該ＣＣＤ信号の有無に応じて制御用マイコン９からの指示によりＣＣＤ表示をするか否かを制御するＣＣＤ出力制御処理の処理が行なわれている。
【００１２】
当該システム制御部９は、少なくとも、リモコン送信機３のリモコンキー４からの信号を受信して処理するキー処理部１０、当該キー処理部１０からの信号を受けてＤＶＤ記録再生装置６の動作を制御する制御部１２、当該制御部１２により制御されＣＣＤ信号の有無に応じて映像音声信号処理部８に対してＣＣＤ出力の制御を行うＣＣＤ制御部１１、メニュー画面やカウンターなどオンスクリーンディスプレー（ＯＳＤ）の制御を行うＯＳＤ処理部１３から構成される。
【実施例１】
【００１３】
ここで図２を参照して、映像音声信号源が受信中のテレビ放送のコンテンツであり、ユーザーが当該テレビ放送のコンテンツをＤＶＤ記録再生装置６によりディスプレー装置５にスルー表示する場合の実施例について説明する。
【００１４】
先ず、Ｓ１１でユーザー所望のチャンネルに対応する映像音声信号がチューナ２により選択される。
【００１５】
次に、Ｓ１１で選択された映像音声信号について、Ｓ１２で映像音声信号処理部８が当該映像音声信号にＣＣＤ信号が含まれているか否かを検出する。当該映像音声信号処理部８は、ＣＣＤ信号の有無を制御用マイコン９のＣＣＤ制御部１１に送信する（Ｓ１３）。
【００１６】
ここでユーザーがディスプレー装置５に映像音声信号とＣＣＤ信号を表示させ視聴中、リモコン送信機３のメニューキー４を押して、メニュー画面をディスプレー装置５の画面上に表示させる操作をすると、Ｓ１４においてキー処理部１０を介して制御用マイコン９の制御部１２がメニュー画面表示信号の入力されたことを検知し、Ｓ１５で当該制御部１２により制御されているＣＣＤ制御部１１に対しＣＣＤ信号の出力停止を指示する。
【００１７】
ＣＣＤ信号の出力停止の指示を受けた当該制御部１１は、当該指示の内容を映像音声信号処理部８に送信し、表示処理部１５を介して、ＣＣＤ信号の出力を停止して映像を表示する指示をディスプレー装置５に送信することにより、ユーザーはメニュー画面と主映像を、ＣＣＤ表示と重畳させることなしに、所望のメニュー画面を重畳した映像を視聴することができる（Ｓ１７）。なお、本実施例で映像音声信号源としたテレビ放送のコンテンツをディスプレー装置５により視聴しながら、同時に記録再生媒体７に記録する場合で、その間にユーザーがメニュー画面をディスプレー装置５に表示させる場合については、ディスプレー装置５の画面については本実施例で説明したステップとまったく同様であり、一方、記録再生媒体７への記録については、ＣＣＤ信号が検出されＳ１５でＣＣＤ信号の出力を停止する指示が出されたとしても、その指示は表示処理部１５からディスプレー装置５に対してのみ送信されるため、映像音声信号処理部８から記録再生媒体７への映像音声信号についてはＣＣＤ信号を含んだまま送信されるので、記録再生媒体７への記録には不都合が生じないことを付言しておく。
【実施例２】
【００１８】
次に図３を参照して、コンテンツがすでに記録されている記録媒体を映像音声信号源として、ユーザーがＤＶＤ記録再生装置によりディスプレー装置の画面に再生する場合の実施例について説明する。
【００１９】
先ず、Ｓ２１でコンテンツのすでに記録された記録媒体を、ユーザーがＤＶＤ記録再生装置６により再生し、ディスプレー装置５の画面により視聴する。
【００２０】
次に、Ｓ２１で選択された映像音声信号について、Ｓ２２で映像音声信号処理部８が当該映像音声信号にＣＣＤ信号が含まれているか否かを検出する。当該映像音声信号処理部８は、ＣＣＤ信号の有無を制御用マイコン９のＣＣＤ制御部１１に送信する（Ｓ２３）。
【００２１】
ここでユーザーがディスプレー装置５に映像音声信号とＣＣＤ信号を表示させ視聴中、リモコン送信機３のメニューキー４を押して、メニュー画面をディスプレー装置５の画面上に表示させる操作をすると、Ｓ２４においてキー処理部１０を介して制御用マイコン９の制御部１２がメニュー画面表示信号の入力されたことを検知し、Ｓ２５で当該制御部１２により制御されているＣＣＤ制御部１１に対しＣＣＤ信号の出力停止を指示する。
【００２２】
ＣＣＤ信号の出力停止の指示を受けた当該制御部１１は、当該指示の内容を映像音声信号処理部８に送信し、表示処理部１５を介して、ＣＣＤ信号の出力を停止して映像を表示する指示をディスプレー装置５に送信することにより、ユーザーはメニュー画面と主映像を、ＣＣＤ表示と重畳させることなしに、所望のメニュー画面を重畳した映像を視聴することができる（Ｓ２７）。
【図面の簡単な説明】
【００２３】
【図１】本発明による具体的な実施例の全体的な構成を示すブロック図
【図２】本発明による具体的な実施例１を説明するフローチャート
【図３】本発明による具体的な実施例２を説明するフローチャート
【符号の説明】
【００２４】
１  アンテナ
２  チューナ
３  リモコン送信機
４  メニューキー
５  ディスプレー装置
６  ＤＶＤ記録再生装置
７  記録再生媒体
８  映像音声信号処理部
９  制御用マイコン
１０  キー処理部
１１  ＣＣＤ制御部
１２  制御部
１３  ＯＳＤ処理部
１４  メモリ
１５  表示処理部
【図１】
2005269260.tif 000003
【図２】
2005269260.tif 000004
【図３】
2005269260.tif 000005